(57)【要約】【課題】会議室や教室に設置された画像表示装置が使用許可時間外に不正に利用されるのを防ぐことができる。【解決手段】画像表示装置４００と、画像表示装置４００の起動を通信により制御する制御装置１００とを備える画像表示装置管理システムであって、制御装置１００は、予め定められた使用許可時間を含む使用許可情報を記憶する使用許可情報記憶部１２０と、画像表示装置４００を起動するための起動信号、及び使用許可情報記憶部１２０に記憶された使用許可情報を画像表示装置４００へ送信する送信部１６０と、を有し、画像表示装置４００は、起動信号及び使用許可情報を受信する受信部４５０と、受信した起動信号及び使用許可情報に基づいて、使用許可時間内において画像を表示させる制御部４１７と、を有する。【選択図】図４
2011100377.tif 000002
【特許請求の範囲】
【請求項１】
入力される画像データに応じた画像を表示する画像表示装置と、前記画像表示装置の起動を通信により制御する制御装置とを備える画像表示装置管理システムであって、
前記制御装置は、
予め定められた使用許可時間を含む使用許可情報を記憶する使用許可情報記憶部と、
前記画像表示装置を起動するための起動信号、及び前記使用許可情報記憶部に記憶された前記使用許可情報を前記画像表示装置へ送信する送信部と、
を有し、
前記画像表示装置は、
前記起動信号及び前記使用許可情報を受信する受信部と、
受信した前記起動信号及び前記使用許可情報に基づいて、前記使用許可時間内において画像を表示させる制御部と、
を有することを特徴とする画像表示装置管理システム。
【請求項２】
前記制御部は、前記使用許可時間の残りが予め定められた時間よりも短くなった場合に、前記使用許可時間の残りが少なくなっていることを示すメッセージを表示させることを特徴とする請求項１に記載の画像表示装置管理システム。
【請求項３】
前記制御部は、受信した前記使用許可情報に含まれる前記使用許可時間が既に経過している場合に、使用許可時間外であることを示すメッセージを表示させることを特徴とする請求項１または２に記載の画像表示装置管理システム。
【請求項４】
前記制御部は、前記使用許可時間外である場合に、前記画像データの外部入力を遮断することを特徴とする請求項１から３のいずれか1項に記載の画像表示装置管理システム。
【請求項５】
前記使用許可情報を生成する使用許可情報生成部と、
前記使用許可情報を前記制御装置へ送信する送信部と、
を有する使用許可発行装置をさらに備え、
前記制御装置は、前記使用許可発行装置から送信される前記使用許可情報を受信する受信部をさらに有し、受信した前記使用許可情報を前記使用許可情報記憶部に記憶することを特徴とする請求項１から４のいずれか1項に記載の画像表示装置管理システム。
【請求項６】
前記画像表示装置は、プロジェクターであって、
前記プロジェクターは、
前記画像データに応じた投射画像を投射する投射部をさらに有し、
前記制御部は、前記使用許可時間内において投射部に前記投射画像を投射させることを特徴とする請求項１から５のいずれか1項に記載の画像表示装置管理システム。
【請求項７】
制御装置から通信により送信される信号により制御される画像表示装置であって、
入力される画像データに応じた画像を表示する表示部と、
起動するための起動信号及び予め定められた使用許可時間を含む使用許可情報を前記制御装置から受信する受信部と、
受信した前記起動信号及び前記使用許可情報に基づいて、前記使用許可時間内において前記表示部に前記画像を表示させる制御部と、
を備えることを特徴とする画像表示装置。
【請求項８】
入力される画像データに応じた画像を表示する画像表示装置と、前記画像表示装置の起動を通信により制御する制御装置とを備える画像表示システムにおける管理方法であって、
前記制御装置は、
予め定められた使用許可時間を含む使用許可情報を記憶し、
前記画像表示装置を起動するための起動信号、及び前記使用許可情報を前記画像表示装置へ送信し、
前記画像表示装置は、
前記起動信号及び前記使用許可情報を受信し、
受信した前記起動信号及び前記使用許可情報に基づいて、前記使用許可時間内において画像を表示することを特徴とする管理方法。
【発明の詳細な説明】
【技術分野】
【０００１】
本発明は、画像表示装置と、前記画像表示装置の起動を通信により制御する制御装置とを備える画像表示装置管理システムに関し、より詳しくは、予め定められた使用許可時間を含む使用許可情報を制御装置から画像表示装置へ送信することにより、当該使用許可時間内のみ画像表示装置に画像を表示させることのできる画像表示装置管理システムに関する。
【背景技術】
【０００２】
会議室や教室に設置されたプロジェクターやテレビなどの不正使用を防止する方法として、起動時にパスワードを入力する方法が知られている。また、特許文献１に記載のように、会議室に設置されている機器を会議室毎に集中管理する機器制御システムが知られている。このシステムでは、使用者が会議室の利用予約をした際に当該会議室内の機器が予約されるとともに、会議室の使用時に機器がスタンバイ状態にセッティングされるというものである。
【先行技術文献】
【特許文献】
【０００３】
【特許文献１】特開平９−１２８４４６号公報
【発明の概要】
【発明が解決しようとする課題】
【０００４】
しかしながら、機器の使用時にパスワードを入力させる管理方法では、特定の使用者で使用を続けていると使用者の間でパスワードが実質的に周知となり、返却されないまま他の使用者に使用されてしまうことが課題であった。また、特許文献１に記載のように会議室の予約に連動するシステムでは、会議室内の特定の機器のみを使用したい場合でも会議室を予約する必要があるなど手続きが煩雑であった。
【課題を解決するための手段】
【０００５】
上記課題を解決することを目的として、本発明は、一の形態として、画像表示装置と、前記画像表示装置の起動を通信により制御する制御装置とを備える画像表示装置管理システムであって、前記制御装置は、予め定められた使用許可時間を含む使用許可情報を記憶する使用許可情報記憶部と、前記画像表示装置を起動するための起動信号、及び前記使用許可情報記憶部に記憶された前記使用許可情報を前記画像表示装置へ送信する送信部と、を有し、前記画像表示装置は、前記起動信号及び前記使用許可情報を受信する受信部と、受信した前記起動信号及び前記使用許可情報に基づいて、前記使用許可時間内において画像を表示させる制御部と、を有することを特徴とする画像表示装置管理システムを提供する。
【０００６】
このような画像表示装置管理システムによれば、画像表示装置を操作するためのリモートコントローラー（リモコン）などの制御装置に予め使用許可情報を記憶させてから画像表示装置を起動させなければ画像表示装置に画像を表示させることができないので、会議室や教室に設置された画像表示装置が使用許可時間外に不正に利用されるのを防ぐことができる。
【０００７】
また、上記画像表示装置管理システムにおいて、前記制御部は、前記使用許可時間の残りが予め定められた時間よりも短くなった場合に、前記使用許可時間の残りが少なくなっていることを示すメッセージを表示させることが好ましい。
【０００８】
これにより、使用者に画像表示装置の使用許可時間の終了が近づいていることをより確実に認識させることができる。
【０００９】
また、上記画像表示装置管理システムにおいて、前記制御部は、受信した前記使用許可情報に含まれる前記使用許可時間が既に経過している場合に、使用許可時間外であることを示すメッセージを表示させることが好ましい。
【００１０】
これにより、画像表示装置が使用許可時間外に利用されるのを防ぐとともに、使用者に対して使用許可情報の再取得を促すことができる。
【００１１】
また、上記画像表示装置管理システムにおいて、前記制御部は、前記使用許可時間外である場合に、前記画像データの外部入力を遮断してもよい。
【００１２】
これにより、使用許可時間外である場合には外部入力の画像データによる表示ができないので、画像表示装置が使用許可時間外に利用されるのをより確実に防ぐことができる。
【００１３】
また、上記画像表示装置管理システムは、前記使用許可情報を生成する使用許可情報生成部と、前記使用許可情報を前記制御装置へ送信する送信部と、を有する使用許可発行装置をさらに備え、前記制御装置は、前記使用許可発行装置から送信される前記使用許可情報を受信する受信部をさらに有し、受信した前記使用許可情報を前記使用許可情報記憶部に記憶させてもよい。
【００１４】
これにより、例えば管理すべき画像表示装置が複数ある場合でも、それらの画像表示装置に対する使用許可情報をすべて使用許可発行装置で発行することにより、複数の画像表示装置の使用許可時間の管理を容易に行うことができる。
【００１５】
また、上記画像表示装置管理システムにおいて、前記画像表示装置がプロジェクターである場合、当該プロジェクターは、前記画像データに応じた投射画像を投射する投射部をさらに有し、前記制御部は、前記使用許可時間内において投射部に前記投射画像を投射させることが好ましい。
【００１６】
これにより、リモコンなどの制御装置に予め使用許可情報を記憶させてからプロジェクターを起動させなければプロジェクターに画像を投射させることができないので、会議室や教室に設置されたプロジェクターが使用許可時間外に不正に利用されるのを防ぐことができる。
【００１７】
また、本発明は、他の形態として、制御装置から通信により送信される信号により制御される画像表示装置であって、入力される画像データに応じた画像を表示する表示部と、起動するための起動信号及び予め定められた使用許可時間を含む使用許可情報を前記制御装置から受信する受信部と、受信した前記起動信号及び前記使用許可情報に基づいて、前記使用許可時間内において前記表示部に前記画像を表示させる制御部と、を備えることを特徴とする画像表示装置を提供する。
【００１８】
このような画像表示装置によれば、画像表示装置を操作するためのリモコンなどの制御装置から使用許可時間を含む使用許可情報を予め受信しておかなければ画像表示装置に画像を表示させることができないので、会議室や教室に設置された画像表示装置が使用許可時間外に不正に利用されるのを防ぐことができる。
【００１９】
また、本発明は、他の形態として、入力される画像データに応じた画像を表示する画像表示装置と、前記画像表示装置の起動を通信により制御する制御装置とを備える画像表示システムにおける管理方法であって、前記制御装置は、予め定められた使用許可時間を含む使用許可情報を記憶し、前記画像表示装置を起動するための起動信号、及び前記使用許可情報を前記画像表示装置へ送信し、前記画像表示装置は、前記起動信号及び前記使用許可情報を受信し、受信した前記起動信号及び前記使用許可情報に基づいて、前記使用許可時間内において画像を表示することを特徴とする管理方法を提供する。
【００２０】
このような画像表示システムの管理方法によれば、画像表示装置を操作するためのリモコンなどの制御装置から使用許可時間を含む使用許可情報を予め受信しておかなければ画像表示装置に画像を表示させることができないので、会議室や教室に設置された画像表示装置が使用許可時間外に不正に利用されるのを防ぐことができる。
【図面の簡単な説明】
【００２１】
【図１】本発明の実施形態に係る管理装置１０の正面図である。
【図２】使用許可情報発行時のリモートコントローラー１００および使用許可発行装置２００を示す概略構成図である。
【図３】使用許可発行装置２００による使用許可情報発行時における動作フローの一例を示す。
【図４】投射動作時のプロジェクター４００を示す概略構成図である。
【図５】プロジェクター４００の投射動作における動作フローの一例を示す。
【図６】プロジェクター４００による使用許可時間のチェック動作時における動作フローの一例を示す。
【発明を実施するための形態】
【００２２】
以下、添付図面に基づいて本発明の一実施形態について説明するが、以下の実施形態は特許請求の範囲にかかる発明を限定するものではなく、また、実施形態における特徴の組み合わせの全てが発明の解決手段に必須であるとは限らない。
【００２３】
図１は、本発明の実施形態に係る管理装置１０の正面図である。管理装置１０は、図１に示すように、保管ラック１１と、操作盤１２とを備える。保管ラック１１には、複数の（本例では６台の）リモートコントローラー１００（１００−１、１００−２、１００−３、１００−４、１００−５、１００−６）が収納されている。また、操作盤１２には、使用許可発行装置２００が組み込まれており、前面には使用許可発行装置２００のユーザーインターフェースである操作部２３０および表示部２６０が配されている。
【００２４】
なお、リモートコントローラー１００（１００−１、・・・１００−６）は、本発明の制御装置の一例であり、また、後述のプロジェクター４００は、本発明の画像表示装置の一例である。そして、上記の管理装置１０および６台のリモートコントローラー１００（１００−１、・・・１００−６）と、後述のプロジェクター４００は、本発明の画像表示装置管理システムの構成の一例である。なお、本例では、６台のリモートコントローラー１００（１００−１、・・・１００−６）は、いずれも同様の構成および機能を有するものとし、任意の１台を指す場合は「リモートコントローラー１００」と称するものとする。
【００２５】
本例のシステムでは、複数の会議室の各々に設置されているプロジェクター４００のいずれかの使用を希望する使用者は、まず、管理装置１０の保管ラック１１に収納されているリモートコントローラー１００の中から、使用を希望するプロジェクター４００に対応するリモートコントローラー１００を操作部２３０の選択ボタン２３１で選択する。本例では、６つの会議室の各々に１台ずつ設置されているプロジェクター４００のそれぞれに1台のリモートコントローラー１００が対応している。
【００２６】
次に、使用者が操作部２３０の情報入力ボタン２３２で使用時間などの情報を入力することにより、使用許可発行装置２００から、選択したリモートコントローラー１００に対して、プロジェクター４００を使用することができる時間である使用許可時間を含む使用許可情報の発行を受ける。そして、使用者は、使用許可情報を記憶させたリモートコントローラー１００を持ってプロジェクター４００が設置された会議室へ行き、リモートコントローラー１００に記憶された使用許可情報をプロジェクター４００へと送信してプロジェクター４００を使用する。なお、上記使用許可時間は、通常は使用者が入力した使用時間と一致するが、入力した使用時間の一部にすでに他の使用者による使用予約が入っている場合は、その時間を除いた時間を使用許可時間とする使用許可情報が発行されてもよい。
【００２７】
図２は、使用許可情報発行時のリモートコントローラー１００および使用許可発行装置２００を示す概略構成図である。使用許可発行装置２００は、操作部２３０および表示部２６０に加えて、記憶部２１０、電源部２２０、操作受付部２４０、制御部２５０、表示部２６０、使用許可情報生成部２７０、および送信部２８０を有する。また、リモートコントローラー１００は、受信部１１０、使用許可情報記憶部１２０、表示部１３０、操作部１４０、操作受付部１５０、および送信部１６０を有する。
【００２８】
ここでは、図２を参照してリモートコントローラー１００および使用許可発行装置２００における使用許可情報発行時に機能する構成について説明する。使用許可情報発行時には、使用許可発行装置２００では、まず、操作受付部２４０が使用者による操作部２３０を通じた上記情報の入力を受け付け、使用許可情報を発行する際のトリガとなる操作信号を制御部２５０へ送る。
【００２９】
記憶部２１０は、例えば、フラッシュメモリーなどデータの書き換えが可能な不揮発性のメモリーおよびハードディスクにより構成されている。記憶部２１０は、例えば、それぞれの会議室に設置されているプロジェクター４００ついて発行された使用許可情報を記憶する。
【００３０】
電源部２２０は、外部電源３００からの交流電力を内蔵するＡＣ／ＤＣ変換部（図示せず）にて変圧し、さらに整流および平滑化して安定化させた直流電圧を使用許可発行装置２００の各部に供給する。制御部２５０は、操作受付部２４０からの操作信号をトリガとして各部を制御する。表示部２６０は、例えば液晶ディスプレイなどの表示装置であり、使用者が操作部２３０を通じて入力した内容や、記憶部２１０が記憶する情報などを表示する。
【００３１】
使用許可情報生成部２７０は、使用者による上記情報の入力に基づいて、使用許可時間を含む使用許可情報を生成する。送信部２８０は、使用者が選択したリモートコントローラー１００に対して使用許可情報生成部２７０が生成した使用許可情報を送信する。なお、使用許可情報生成部２７０で生成される使用許可情報には、少なくとも使用許可時間が含まれていればよいが、使用者や使用する会議室に関する情報をさらに含んでもよい。本例において、送信部２８０は、例えば赤外線通信に対応した通信モジュールであり、リモートコントローラー１００における後述の受信部１１０に対して使用許可情報を含む各種のデータを赤外線信号として送信することができる。
【００３２】
一方、リモートコントローラー１００では、送信部２８０から送信された使用許可情報が受信部１１０で受信され、使用許可情報記憶部１２０に記憶される。受信部１１０は、例えば赤外線信号が受信可能な受光素子（光電変換素子）、信号処理回路などで構成される。使用許可情報記憶部１２０は、例えば、フラッシュメモリーなどデータの書き換えが可能な不揮発性のメモリーである。使用許可情報記憶部１２０に記憶された使用許可情報は、後述するプロジェクター４００の投射動作時にプロジェクター４００へ送信される。また、使用許可情報記憶部１２０に記憶された使用許可情報の内容は、表示部１３０へ表示されてもよい。
【００３３】
図３は、使用許可発行装置２００による使用許可情報発行時における動作フローの一例を示す。本フローでは、まず、操作受付部２４０が、使用者による操作部２３０を通じた使用許可情報発行のための操作を受け付ける（ステップＳ１１０）。例えば、使用者が操作部２３０を通じてリモートコントローラー１００−２を選択し、「会議室Ｂでプロジェクター４００をＰＭ１３：００から２時間使用する」旨の内容を入力した場合を例に説明する。この場合、操作受付部２４０は、上記の入力内容に基づく操作信号を制御部２５０へ出力する。
【００３４】
次に、制御部２５０は、記憶部２１０にアクセスして、会議室Ｂのプロジェクター４００に対してＰＭ１３：００からＰＭ１５：００までの間の使用が可能な使用許可情報がすでに発行されていないかどうかを確認する（ステップＳ１２０）。そして、使用者が使用を希望する上記時間帯に使用が可能な使用許可情報が発行されていない場合（ステップＳ１２０：ＹＥＳ）は、制御部２５０は、ＰＭ１３：００からＰＭ１５：００までを使用許可時間とする旨の情報を含む使用許可情報を生成すべき旨の制御信号を使用許可情報生成部２７０に対して出力する。
【００３５】
次に、使用許可情報生成部２７０は、制御部２５０から上記制御信号が与えられたことに応じて、ＰＭ１３：００からＰＭ１５：００までを使用許可時間とする使用許可情報を生成する（ステップＳ１３０）。そして、送信部２８０は、使用許可情報生成部２７０が生成した使用許可情報をリモートコントローラー１００−２へ送信する（ステップＳ１４０）。
【００３６】
一方、ＰＭ１３：００からＰＭ１５：００までの間の少なくとも一部の時間帯に会議室Ｂのプロジェクター４００に対してすでに使用許可時間が設定されている（当該使用許可時間を含む使用許可情報が発行されている）場合（ステップＳ１２０：ＮＯ）は、制御部２５０は、表示部２６０に対し、所定のエラーメッセージを表示すべき旨の制御信号を出力する。そして、表示部２６０は、制御部２５０から上記制御信号が与えられたことに応じて、使用者が希望する時間帯に会議室Ｂのプロジェクター４００にはすでに使用予約が入っている旨のメッセージを表示する（ステップＳ２６０）。以上により、本動作は終了する。
【００３７】
図４は、投射動作時のプロジェクター４００を示す概略構成図である。以下において、使用者が会議室においてプロジェクター４００によりスクリーンなどの投射面に画像を表示させる投射動作について詳細に説明する。投射動作では、まず、使用者が、リモートコントローラー１００を操作して起動信号を送信することにより、プロジェクター４００を起動する。より詳しくは、使用者が、リモートコントローラー１００上の操作用ボタン（操作部１４０）によりプロジェクター４００の電源投入操作を行う。これにより、操作受付部１５０で電源投入操作が受け付けられ、操作受付部１５０によって電源投入操作の操作信号（起動信号）が送信部１６０に送られる。また、操作受付部１５０は、上記電源投入操作を受け付けると、使用許可情報記憶部１２０にアクセスして記憶されている使用許可情報を送信部１６０へ出力させる。
【００３８】
送信部１６０は、上記操作信号および使用許可情報をプロジェクター４００へ送信する。ここで、送信部１６０は、使用許可情報を電源投入操作の操作信号とともにプロジェクター４００へ送信してもよく、また、当該操作信号および使用許可情報を順次に送信してもよい。また、本例に替えて、送信部１６０は、使用許可情報を受け取った場合のみ、使用許可情報および電源投入操作の操作信号をプロジェクター４００へ送信してもよい。送信部１６０は、例えば、プロジェクター４００における後述の受信部４５０で受信可能な赤外線信号を送信することができる赤外線通信モジュールである。
【００３９】
プロジェクター４００は、リモートコントローラー１００により電源のオン／オフおよび各種操作を行うことができるプロジェクターであり、ランプ４１０、光学部４１１、液晶パネル駆動部４１２、操作受付部４１３、電源部４１４、画像処理部４１５、記憶部４１６、制御部４１７、ランプ駆動部４１９、および受信部４５０を有する。
【００４０】
プロジェクター４００は、光源であるランプ４１０が放射した光を、光の３原色成分（赤色光、青色光、緑色光）に分離し、外部入力により受信部４５０が受け取った画像データに基づいて生成される画像信号に応じて、光学部４１１に含まれる光変調素子である各色光用の液晶ライトバルブ（図示せず）により各色の光を変調し、再度合成してスクリーンなどの投射面に投射する、いわゆる「液晶３板式プロジェクター」である。
【００４１】
受信部４５０は、例えば赤外線信号が受信可能な受光素子（光電変換素子）、信号処理回路などを有し、リモートコントローラー１００の送信部１６０から送信される上記起動信号などの各種の操作信号および使用許可情報を受信する。そして、受信部４５０は、受信した操作信号を操作受付部４１３へ送り、使用許可情報を記憶部４１６へ記憶させる。また、受信部４５０は、IEEE 802.11a、IEEE 802.11b、またはIEEE 802.11gなどの無線ＬＡＮ規格に対応した無線ＬＡＮカード、ＲＦＩＤタグ、ＩｒＤＡ、Bluetooth（登録商標）、ＵＳＢ端子、ＤＶ端子など各種の外部インターフェースを有し、投射画像の画像データ（以下、「投射データ」と称する）が外部から入力される。
【００４２】
ランプ４１０は、例えば、高圧水銀ランプや、メタルハライドランプ及びハロゲンランプなどの高輝度が得られる放電式ランプである。光学部４１１は、ランプ４１０が放射する白色光を輝度分布の安定した略平行光に変換するインテグレーター光学系と、輝度分布の安定した白色光を赤色、緑色、青色の光成分に分離して各色光用の液晶ライトバルブに供給する分離光学系と、液晶ライトバルブにて各色光毎に画像信号に応じて変調された各色光を、再度合成する合成光学系（いずれも図示せず）とを含んで構成されている。
【００４３】
光学部４１１は、合成光学系から射出されるフルカラーで略平行な変調光を内蔵する投射レンズで拡大した投射光により、投射面にフルカラー映像を投射する。液晶パネル駆動部４１２は、光学部４１１の液晶ライトバルブ（図示せず）に対して画像処理部４１５から入力する画像信号とともに駆動電圧などを供給し、液晶ライトバルブに投射画像を写し出す。
【００４４】
操作受付部４１３は、受信部４５０が受信したリモートコントローラー１００からの操作信号を受け付ける。そして、操作受付部４１３は、受け付けた操作信号の操作内容を示す信号を制御部４１７へ送る。
【００４５】
電源部４１４は、操作受付部４１３が使用者による電源投入操作を受け付けたことに応じて、外部電源３００からの電力をプロジェクター４００の各部に供給する。より具体的には、電源部４１４は、外部電源３００からの交流電力を内蔵するＡＣ／ＤＣ変換部（図示せず）にて変圧し、さらに整流および平滑化して安定化させた直流電圧をプロジェクター４００の各部に供給する。
【００４６】
ランプ駆動部４１９は、ランプ４１０を点灯するために高電圧を発生して放電経路を形成するイグナイター回路（図示せず）と、点灯後の安定した点灯状態を維持するためのバラスト回路（図示せず）とを備えている。なお、ランプ４１０、光学部４１１、液晶パネル駆動部４１２、およびランプ駆動部４１９は、本発明における投射部の一例であり、以下においてこれらをまとめて示す際は「投射部４２０」と称する。
【００４７】
記憶部４１６は、リモートコントローラー１００から送信された使用許可情報を記憶する。また、記憶部４１６は、プロジェクター４００を起動させるときの起動ルーチンなど、プロジェクター４００の動作を制御するための様々なプログラムおよび付随するデータを記憶する。さらに、記憶部４１６は、受信部４５０を介して外部から供給される投射データを記憶してもよい。
【００４８】
画像処理部４１５は、外部から受信部４５０を介して供給される画像データに基づいて投射面に投射させるための画像信号を生成する。より具体的には、画像処理部４１５は、記憶部４１６に記憶されている投射データをフレーム単位で読み出して順次に画像信号に変換して投射部４２０へ出力する。
【００４９】
制御部４１７は、使用者による操作内容を示す信号が操作受付部４１７から与えられると、当該信号をトリガとしてバスラインＢｕｓを介して各部を制御する。また、制御部４１７は、電源投入時に、記憶部４１６にアクセスして記憶部４１６に記憶された使用許可情報の内容を読み出す。そして、制御部４１７は、読み出した使用許可情報に含まれる使用許可時間内において投射部４２０に投射画像を投射させる。
【００５０】
本例では、制御部４１７は、現在時刻を計測するＲＴＣ（Real Time Clock）を有し、読み出した使用許可情報に含まれる使用許可時間と現在時刻との比較により使用許可時間内であるか否かを判断する。なお、本例に替えて、ＲＴＣを制御部４１７の外部に備えていてもよく、制御部４１７はＢｕｓを経由してＲＴＣから現在時刻を読み出してもよい。
【００５１】
一方、使用許可時間が終了した（使用許可時間外となった）場合には、制御部４１７は、画像処理部４１５から液晶パネル駆動部４１２への画像信号の入力を遮断する。したがって、プロジェクター４００では、使用許可時間外には、投射面には画像が投射されない。また、これに替えて、使用許可時間外である場合には、制御部４１７は、受信部４５０に対して画像データの外部入力を遮断させてもよく、また、ランプ４１０を消灯してもよい。
【００５２】
このように、プロジェクター４００は、リモートコントローラー１００に予め使用許可情報を記憶させてからプロジェクター４００を起動させなければプロジェクター４００により画像を投射させることができない。また、リモートコントローラー１００から受信した使用許可情報に含まれる使用許可時間内でのみ画像を投射することができ、使用許可時間が終了した後は画像を投射させることができない。したがって、会議室に設置されたプロジェクター４００が使用許可時間外に使用されるのを防ぐことができる。
【００５３】
また、プロジェクター４００では、制御部４１７は、投射部４２０に投射画像を投射させている状態において、定期的に使用許可時間を読み出して残り時間をチェックする。そして、使用許可時間の残りが予め定められた時間よりも短くなった場合に、制御部４１７は、投射部４２０に、使用許可時間の残りが少なくなっていることを示すメッセージを投射させる。したがって、プロジェクター４００の使用者に使用許可時間の終了が近づいていることをより確実に認識させることができる。
【００５４】
なお、投射部４２０によるメッセージの表示に替えて、プロジェクター４００本体にＬＣＤなどの表示部を設けて当該表示部にメッセージを表示させてもよく、また、音声や警告ランプにより使用許可時間の残りが少なくなっていることを使用者に認識させてもよい。
【００５５】
図５は、プロジェクター４００の投射動作における動作フローの一例を示す。本フローでは、まず、使用者がリモートコントローラー１００を操作することにより、電源投入操作の操作信号および使用許可情報をプロジェクター４００へ順次に送信する（ステップＳ２１０）。そして、プロジェクター４００で受信された操作信号により電源投入操作が受け付けられ、電源部４１４によって、プロジェクター４００の各部に電力が供給されて起動されるとともに、操作信号に引き続きリモートコントローラー１００から送信された使用許可情報が受信部４５０で受信されて記憶部４１６に記憶される（ステップＳ２２０）。
【００５６】
次に、制御部４１７は、記憶部４１６にアクセスして記憶部４１６に記憶された使用許可情報の内容を読み出し、使用許可情報に含まれる使用許可時間と現在時刻とを比較する（ステップＳ２３０）。そして、現在時刻が使用許可時間内であれば（ステップＳ２４０：ＹＥＳ）、ランプ４１０を点灯し、投射部４２０により投射画像を投射させる（ステップＳ２５０）。
【００５７】
一方、使用許可情報に含まれる使用許可時間が既に経過している場合（ステップＳ２２０：ＮＯ）、制御部４１７は、投射部４２０に、使用許可時間外であることを示すエラーメッセージを投射面に投射させる（ステップＳ２６０）。また、このとき、投射面には投射画像は投射されない。以上により、本動作は終了する。
【００５８】
図６は、プロジェクター４００による使用許可時間のチェック動作時における動作フローの一例を示す。本動作は、投射部４２０に投射画像を投射させている状態において所定の時間間隔で定期的に行われるものであり、まず、制御部４１７が、記憶部４１６にアクセスして読み出した使用許可情報に含まれる使用許可時間をチェックする（ステップＳ３１０）。
【００５９】
そして、使用許可時間がすでに終了している場合（ステップＳ３１０：ＹＥＳ）、制御部４１７は、記憶部４１６に記憶されている使用許可情報を消去し（ステップＳ３２０）、投射部４２０による画像の投射を停止させる（ステップＳ３３０）。
【００６０】
そして、制御部４１７は、投射部４２０により、使用許可時間外であることを示すエラーメッセージを一定時間だけ投射面に投射させて（ステップＳ３４０）、その後、ランプ４１０を消灯して投射部４２０の駆動を停止し、電源部４１４からの電源の供給を停止させる（ステップＳ３５０）。
【００６１】
一方、使用許可時間が残っている場合（ステップＳ３１０：ＮＯ）は、使用許可時間の残りが５分以下でなければ（ステップＳ３６０：ＮＯ）、そのまま投射部４２０による画像の投射が続けられるが、使用許可時間の残りが５分以下となっている場合（ステップＳ３６０：ＹＥＳ）は、制御部４１７は、投射部４２０に、使用許可時間の終了が近づいていることを示す警告メッセージを一定時間だけ投射させる（ステップＳ３７０）。その後、使用許可時間の終了まで投射部４２０による画像の投射が続けられる。以上により、本動作フローは終了する。
【００６２】
以上のように、本例の管理装置１０、リモートコントローラー１００、およびプロジェクター４００により構成される画像表示装置管理システムによれば、プロジェクター４００を使用するためには、予め対応するリモートコントローラー１００に使用許可時間を含む使用許可情報を記憶させておき、プロジェクター４００に送信する必要があるので、会議室に設置されたプロジェクター４００が使用許可時間外に使用されるのを防ぐことができる。
【００６３】
なお、本例では画像表示装置としてプロジェクター４００を例に説明したが、プロジェクター４００と同様に、会議室に設置されるテレビなどの他の画像表示装置についても、リモートコントローラー１００からの使用許可情報に含まれる使用許可時間内のみ画像を表示させるようにしてもよい。
【００６４】
（変形例）
上述した実施形態では、光源からの光を光変調部である液晶ライトバルブによって変調し投射する液晶３板式プロジェクターを例示したが、本発明はその他の方式を採用するプロジェクターにも適用することもできる。具体的には、ＤＭＤ（Digital Micromirror Device）を用いた投射方式、所謂、ＤＬＰ（Digital Light Processing）（登録商標）方式である。すなわち、ＤＬＰ方式は白色に光るランプの光をレンズで集光してＤＭＤに当て、ＤＭＤの個々のミラーがオン状態に傾いているときの光を他のレンズで拡大し、スクリーンに投射する方式であり、本発明はこのような方式のプロジェクターにも適用することができる。
【００６５】
また、上述した実施形態では、光源として放電式ランプを用いて投射するプロジェクターを例示したが、本発明は光源としてＬＥＤ光源やレーザー光源などを用いて投射するプロジェクターにも適用することができる。
【００６６】
以上、本発明を実施の形態を用いて説明したが、本発明の技術的範囲は上記実施の形態に記載の範囲には限定されない。上記実施の形態に、多様な変更または改良を加えることができることは当業者に明らかである。
【符号の説明】
【００６７】
１０…管理装置、１１…保管ラック、１２…操作盤、１００…リモートコントローラー、１１０…受信部、１２０…使用許可情報記憶部、１３０…表示部、１４０…操作部、１５０…操作受付部、１６０…送信部、２００…使用許可発行装置、２１０…記憶部、２２０…電源部、２３０…操作部、２３１…選択ボタン、２３２…情報入力ボタン、２４０…操作受付部、２５０…制御部、２６０…表示部、２７０…使用許可情報生成部、２８０…送信部、４００…プロジェクター、４１０…ランプ、４１１…光学部、４１２…液晶パネル駆動部、４１３…操作受付部、４１４…電源部、４１５…画像処理部、４１６…記憶部、４１７…制御部、４１９…ランプ駆動部、４２０…投射部、４５０…受信部
【図１】
2011100377.tif 000003
【図２】
2011100377.tif 000004
【図３】
2011100377.tif 000005
【図４】
2011100377.tif 000006
【図５】
2011100377.tif 000007
【図６】
2011100377.tif 000008